(57)【特許請求の範囲】
【請求項１】
室内の床面から室内に空調空気を吹き出させる全面床吹き出し空調システムと、
窓の下に配設され、窓の室内側に配置されたブラインドの室内側から窓側に向けて空調空気を吹き出させるペリカウンターと、
ペリカウンターの上方に形成されて室内空気を吸気する吸気口と、
を備える空調設備の制御方法であって、
冬期においては、前記全面床吹き出し空調システム及びペリカウンターによって空調空気を室内に供給するとともに室内空気を前記吸気口から室外に排出し、且つ、日射量、外気温及びペリカウンターの躯体温度に基づいて前記ブラインドの昇降及び該ブラインドの羽根板の開閉を調整することを特徴とする空調設備の制御方法。
【請求項２】
請求項１に記載の空調設備の制御方法において、
日射量、外気温、及びペリメータの躯体温度について任意の設定値をそれぞれ設定するとともに、日射量、外気温及び躯体温度をそれぞれ計測し、その計測値と前記設定値との比較に基づいて前記ブラインドの昇降及び該ブラインドの羽根板の開閉を調整することを特徴とする空調設備の制御方法。
【請求項３】
請求項２に記載の空調設備の制御方法において、
計測された日射量がその設定値よりも低く、且つ、計測された外気温と躯体温度とのうちの一方または両方がその設定値よりも低い場合には、前記ブラインドを降ろして窓に対向配置させるとともに該ブラインドの羽根板を閉じることを特徴とする空調設備の制御方法。
【請求項４】
室内の床面から室内に空調空気を吹き出させる全面床吹き出し空調システムと、
窓の下に配設され、窓の室内側に配置されたブラインドの室内側から窓側に向けて空調空気を吹き出させるペリカウンターと、
ペリカウンターの上方に形成されて室内空気を吸気する吸気口と、
を備える空調設備の制御方法であって、
冬期においては、前記全面床吹き出し空調システム及びペリカウンターによって空調空気を室内に供給するとともに室内空気を前記吸気口から室外に排出し、
夏期及び中間期においては、前記ペリカウンターによる空調空気の供給を行わずに前記全面床吹き出し空調システムによって空調空気を室内に供給するとともに室内空気を前記吸気口から室外に排出し、
日射量、外気温、及びペリメータの躯体温度について任意の設定値をそれぞれ設定するとともに、日射量、外気温及び躯体温度をそれぞれ計測し、
冬期において、計測された日射量がその設定値よりも低く、且つ、計測された外気温と躯体温度とのうちの一方または両方がその設定値よりも低い場合には、前記ブラインドを降ろして窓に対向配置させるとともに該ブラインドの羽根板を閉じることを特徴とする空調設備の制御方法。
【発明の詳細な説明】
【技術分野】
【０００１】
本発明は、全面床吹き出し空調システムとペリカウンターとを併用して室内の空調を行う空調設備の制御方法に関する。
【背景技術】
【０００２】
建物内部のペリメータ（窓や外壁の近傍）では、外部の熱的影響を受けやすいため、冬期には寒い環境になり易く、また、夏期には暑い環境になり易い。そこで、従来、上記したペリメータの寒暑の問題を解決するべく、上面に吹出口が設けられているとともに内部にファンコイルユニット等が備えられたペリカウンターをペリメータに設置する技術がある。この技術によれば、冬期にはペリカウンターから暖かい空調空気を吹き上げさせ、夏期にはペリカウンターから冷たい空調空気を吹き上げさせることで、上記したペリメータの寒暑の問題を解決することができる（例えば、特許文献１，２参照。）。
【特許文献１】特開２００３−１３０４４３号公報
【特許文献２】特開平８−１４６４４号公報
【発明の開示】
【発明が解決しようとする課題】
【０００３】
しかしながら、上記した従来の技術では、ペリカウンター上面の吹出口からむやみに空調空気を吹き上げると、ペリカウンターに備えられたファンコイルユニットによって省エネ性が低下するとともに、室内の温熱環境に悪影響を及ぼす場合があるという問題が生じる。例えば、ペリカウンターの上方にブラインドが窓に対向させて配置されている空調設備によって夏期の空調を行うと、窓からの日射によりブラインドが熱されて高温となる。また、ペリカウンター上面の吹出口から冷たい空調空気を吹き出させると、ブラインドの羽根板間を通じて窓側から室内側に空気が流れる。このため、ペリメータの居住域（ブラインドよりも室内側の領域）の温度が上昇する結果となる。このように、従来の空調設備システムでは、夏期や中間期（例えば、暖房期が終わり、冷房期には未だ間がある季節、又は、その反対の季節）の空調の際にペリカウンターから冷たい空気を給気することで、室内の温熱環境が劣悪化する場合が生じる。
【０００４】
本発明は、上記した従来の問題が考慮されたものであり、室内の温熱環境を改善するとともに、省エネ性を向上させることができる空調設備の制御方法を提供することを目的としている。
【課題を解決するための手段】
【０００５】
本発明に係る空調設備の制御方法は、室内の床面から室内に空調空気を吹き出させる全面床吹き出し空調システムと、窓の下に配設され、窓の室内側に配置されたブラインドの室内側から窓側に向けて空調空気を吹き出させるペリカウンターと、ペリカウンターの上方に形成されて室内空気を吸気する吸気口と、を備える空調設備の制御方法であって、冬期においては、前記全面床吹き出し空調システム及びペリカウンターによって空調空気を室内に供給するとともに室内空気を前記吸気口から室外に排出し、且つ、日射量、外気温及びペリカウンターの躯体温度に基づいて前記ブラインドの昇降及び該ブラインドの羽根板の開閉を調整することを特徴としている。
【０００６】
このような特徴により、冬期における空調の際、ペリカウンターによってブラインドの室内側から上方または窓側に向けて空調空気を吹き出させるため、ブラインド付近から床面に流れていく冷気流（コールドドラフト）が緩和される。
【０００７】
また、本発明に係る空調設備の制御方法は、日射量、外気温、及びペリメータの躯体温度について任意の設定値をそれぞれ設定するとともに、日射量、外気温及び躯体温度をそれぞれ計測し、その計測値と前記設定値との比較に基づいて前記ブラインドの昇降及び該ブラインドの羽根板の開閉を調整することが好ましい。
特に、本発明に係る空調設備の制御方法は、計測された日射量がその設定値よりも低く、且つ、計測された外気温と躯体温度とのうちの一方または両方がその設定値よりも低い場合には、前記ブラインドを降ろして窓に対向配置させるとともに該ブラインドの羽根板を閉じることが好ましい。
これにより、ブラインドによって遮蔽されるため、コールドドラフトの発生が最小限に留まる。
【０００８】
また、本発明に係る空調設備の制御方法は、室内の床面から室内に空調空気を吹き出させる全面床吹き出し空調システムと、窓の下に配設され、窓の室内側に配置されたブラインドの室内側から窓側に向けて空調空気を吹き出させるペリカウンターと、ペリカウンターの上方に形成されて室内空気を吸気する吸気口と、を備える空調設備の制御方法であって、冬期においては、前記全面床吹き出し空調システム及びペリカウンターによって空調空気を室内に供給するとともに室内空気を前記吸気口から室外に排出し、夏期及び中間期においては、前記ペリカウンターによる空調空気の供給を行わずに前記全面床吹き出し空調システムによって空調空気を室内に供給するとともに室内空気を前記吸気口から室外に排出し、日射量、外気温、及びペリメータの躯体温度について任意の設定値をそれぞれ設定するとともに、日射量、外気温及び躯体温度をそれぞれ計測し、冬期において、計測された日射量がその設定値よりも低く、且つ、計測された外気温と躯体温度とのうちの一方または両方がその設定値よりも低い場合には、前記ブラインドを降ろして窓に対向配置させるとともに該ブラインドの羽根板を閉じることを特徴としている。
このような特徴により、夏期及び中間期における空調の際、ペリカウンターからの空調空気の供給が行われないため、窓とブラインドとの間の空気がブラインドを通過して室内側に流れ込む量が低減される。また、窓からの日射の熱は吸気口から吸気されるまで窓とブラインドとの間に留まり、窓とブラインドとの間が高温領域となり、この高温領域中の熱が窓を介して外部に伝達される。その結果、ペリメータの熱負荷低減に寄与し、ペリメータでの空調エネルギー消費が低減され、省エネ性を向上させることができる。
【発明の効果】
【０００９】
本発明に係る空調設備の制御方法によれば、冬期における空調の際、ブラインド付近から床面に流れていくコールドドラフトが緩和されるため、ブラインドよりも室内側の温度分布が良好となり、室内の温熱環境を改善することができる。
【発明を実施するための最良の形態】
【００１０】
以下、本発明に係る空調設備の制御方法の実施の形態について、図面に基いて説明する。
【００１１】
まず、空調設備の構成について説明する。
図１は空調設備が備えられた室Ｒの断面図である。
図１に示すように、本発明に係る空調設備は、室Ｒ内の空調を行うための空調システムであり、室Ｒ内の床面から室Ｒ内に空調空気ＳＡを吹き出させる全面床吹き出し空調システム１と、上面から室Ｒ内に空調空気ＳＡを吹き出させるペリカウンター２と、室Ｒ内（ペリメータ領域内）の室内空気ＩＡを吸気する吸気口３とが備えられた構成からなる。
【００１２】
室Ｒは、床Ｆが床下に空間を有する二重床になっており、また、天井Ｃが天井裏に空間を有する吊り下げ式等の天井になっている部屋である。床Ｆは、床面に通気性が持たせた構成からなり、例えば、図示せぬ複数の吹出口が全体的且つ均等に配設されている図示せぬ通気性ＯＡフロアの上に図示せぬ通気性タイルカーペットが敷きつめられた構成からなる。天井Ｃには、室Ｒ内（インテリア領域内）の室内空気ＩＡを吸気する複数の吸気口（天井吸気口４…）が全体的に配設されている。また、室Ｒの外部に面した壁には、ガラス窓などの窓Ｗが設けられており、この窓Ｗの室内側には、水平方向に延在して下側が開放された箱状のブラインドボックス６に吊持されているブラインド５が配置されている。
【００１３】
図２はブラインド５を表した断面図である。
図２（ａ），図２（ｂ），図２（ｃ）に示すように、ブラインド５は、太陽光（日射）が射し込む窓Ｗに対向配置させて室内への採光を調整するためのものであり、水平方向に延びる複数の羽根板５ａ…を鉛直方向に多数配列した構成からなる。ブラインド５の羽根板５ａ…は、鉛直方向に回転可能になっており、羽根板５ａ…の傾斜角度は調整可能になっている。
【００１４】
そして、図２（ａ）に示すように、ブラインド５は、窓Ｗに対向配置し、ブラインド５の複数の羽根板５ａ…を略鉛直にそれぞれ配置させ、羽根板５ａ…が閉じられた状態（降・閉状態）にすることができる。これによって、窓Ｗから射し込んだ昼光が遮光される。
また、図２（ｂ）に示すように、ブラインド５は、窓Ｗに対向配置し、ブラインド５の複数の羽根板５ａ…を斜め或いは水平にそれぞれ配置させ、羽根板５ａ…が開放された状態（降・開状態）にすることができる。これによって、窓Ｗから射し込んだ昼光が複数の羽根板５ａ…によって反射されて室内に入射（間接採光）され、昼光利用を行うことができる。
さらに、図２（ｃ）に示すように、ブラインド５は、昇降自在（上げ降ろし自在）な構成になっている。つまり、窓Ｗに対向配置された状態のブラインド５を、複数の羽根板５ａ…を重ね合わせるように畳み上げてブラインドボックス６内に収納させることができ、また、畳み上げられた状態のブラインド５を、窓Ｗに対向配置されるように降ろすことができる。ブラインド５を畳み上げた状態（昇・開状態）にすることで、窓Ｗから射し込んだ昼光が室内に直接入射（直接採光）される。
【００１５】
ブラインド５としては、全ての羽根板５ａ…が同じ傾斜角度で配置された通常の採光ブラインドのほかに、複数の羽根板が異なった傾斜角度で配置された所謂グラデーションブラインドを用いることもできる。このグラデーションブラインドは、昼光（太陽光）を積極的に天井間接光として採り入れて室内をやわらかい光環境にするためのブラインドであり、昼光を室内の天井の広範囲に亘って反射させるように、羽根板の傾斜角度を上部の羽根板から下部の羽根板にかけて順次変化させたブラインドである。
【００１６】
図１に示すように、上記した全面床吹き出し空調システム１は、循環型の空調システムであり、具体的には、図示せぬ空調機から床下空間に空調空気ＳＡを送り、この空調空気ＳＡを通気性のある床面から室Ｒ内に供給するとともに、室Ｒ内の室内空気ＩＡを天井Ｃに設けられた天井吸気口４…から吸気し、吸気された空気を還気空気（レターンエア）ＲＡとして図示せぬ空調機に戻すシステムである。
【００１７】
床Ｆの床下空間は、上記した全面床吹き出し空調システム１において空調空気ＳＡを流通させる給気チャンバー７として利用されている。一方、天井Ｃの天井裏空間は、上記した全面床吹き出し空調システム１において還気空気ＲＡを流通させる還気チャンバー８として利用されており、当該天井裏空間には図示せぬ空調機に接続された還気ダクト９が設けられている。
【００１８】
上記したペリカウンター２は、上面に吹出口１０が形成された箱状のカウンターであり、窓Ｗの下に配設されている。ペリカウンター２は、その下部で床Ｆの床下空間（給気チャンバー７）と連通されており、給気チャンバー７からペリカウンター２内に空調空気ＳＡが供給され、吹出口１０から室Ｒ内に空調空気ＳＡが吹き出される。つまり、このペリカウンター２は、全面床吹き出し空調システム１の床吹き出しの与圧を利用して空調空気ＳＡを吹き出させている。このペリカウンター２から吹き出される空調空気ＳＡの風量は、通常のペリカウンターの風量（奥行き方向の長さあたり１５０〜３００ｍ３/ｈ（１５０〜３００ＣＭＨ／ｍ）程度よりも小さく、例えば奥行き方向の長さあたり５０〜１００ｍ３/ｈ（５０〜１００ＣＭＨ／ｍ）程度である。
【００１９】
図３はペリカウンター２を表した拡大断面図である。
図３に示すように、ペリカウンター２の吹出口１０は、ブラインド５の室Ｒ内側（図３における右側）に設けられている。そして、この吹出口１０には、ペリカウンター２による空調空気ＳＡの風量および風向をそれぞれ調整するための電動式の回転可変翼機構１１が設けられており、この回転可変翼機構１１によって、吹出口１０から窓Ｗ側（図３における左側）または上方に向けて空調空気ＳＡが吹き出される。
【００２０】
図４は回転可変翼機構１１を表す動作概念図である。
図４（ａ），図４（ｂ），図４（ｃ）に示すように、回転可変翼機構１１は、吹出口１０の中央位置に設けられた水平方向に延在する回転軸１２とこの回転軸１２に回転可能に取り付けられた２枚の翼部１３，１４とから構成されている。図４（ａ）に示すように、翼部１３，１４を鉛直方向に回転させて、回転軸１２の一方側に一方の翼部１３を水平に配置させ、回転軸１２の他方側に他方の翼部１４を水平に配置させることで、吹出口１０は２枚の翼部１３，１４によって閉塞されて全閉状態となる。また、図４（ｂ）に示すように、翼部１３，１４を鉛直方向に回転させて、回転軸１２の何れか一方側に２枚の翼部１３，１４をそれぞれ水平に配置させて２枚の翼部１３，１４を重ね合わせることで、吹出口１０は翼部１３，１４によって半分だけが閉塞されて残りの半分が開放された半開状態となる。また、図４（ｃ）に示すように、翼部１３，１４を鉛直方向に回転させて、回転軸１２の下方側に２枚の翼部１３，１４をそれぞれ鉛直に配置させて２枚の翼部１３，１４を重ね合わせることで、吹出口１０は全部が開放された全開状態となる。全閉状態のときは、吹出口１０が塞がれるため、ペリカウンター２からの空調空気ＳＡの吹き出しがなくなり、また、半開状態のときは、吹出口１０の半分から空調空気ＳＡが吹き出すため、空調空気ＳＡの風量は全開状態のときの半分程度となる。
【００２１】
図１に示すように、上記した吸気口３は、ペリカウンター２の上方のペリメータ領域内の室内空気ＩＡを吸気するためのものであり、ペリカウンター２の上方に形成されている。具体的には、ブラインドボックス６の内側に形成されている。また、吸気口３は、天井Ｃの天井裏空間（還気チャンバー８）に通じており、吸気口３から吸気された室内空気ＩＡは、還気空気ＲＡとして還気チャンバー８から還気ダクト９を介して図示せぬ空調機に送られる。吸気口３による吸気の風量は常時一定であり、例えば奥行き方向の長さあたり１００ｍ３/ｈ（１００ＣＭＨ／ｍ）程度である。
【００２２】
次に、上記した構成からなる空調設備の制御方法について説明する。
【００２３】
本発明に係る空調設備の制御方法は、冬期においては、全面床吹き出し空調システム１及びペリカウンター２によって室Ｒ内に空調空気ＳＡを供給するとともに室Ｒ内の室内空気ＩＡを吸気口３から室Ｒ外に排出し、夏期及び中間期においては、ペリカウンター２からの空調空気ＳＡの供給を行わずに全面床吹き出し空調システム１によって室Ｒ内に空調空気ＳＡを供給するとともに室内空気ＩＡを吸気口３から室Ｒ外に排出するものである。
【００２４】
まず、冬期における空調設備の制御方法について説明する。
冬期においては、日射量、外気温、及びペリメータ領域にある躯体の温度（以下、単に躯体温度と記す。）について任意の設定値ａ，ｂ，ｃをそれぞれ設定する。日射量の設定値ａは、日射の有無の境界を示す値であり、例えば５０Ｗ／ｍ２程度である。また、外気温の設定値ｂは、外気温が低いか否かの境界を示す値であり、例えば５℃程度である。さらに、躯体温度の設定値ｃは、躯体温度が高いか否かの境界を示す値であり、例えば１８℃程度である。
【００２５】
また、日射量、外気温及び躯体温度をそれぞれ計測する。具体的には、図示せぬ日射計によって日射量を計測する。また、図示せぬ温度計によって建物外部の外気温を計測する。さらに、図示せぬ温度計によって躯体温度を計測する。この躯体温度の計測としては、例えば、建物外周から約１〜２ｍの位置になるコンクリートスラブの表面温度を計測して行う。そして、上記した日射量、外気温及び躯体温度の各計測結果に基づいて、ペリカウンター２の回転可変翼機構１１を自動調整してペリカウンター２からの給気量（風量）を自動調整するとともに、ブラインド５の昇降や羽根板５ａ…の傾斜角度を自動調整してブラインド５による採光を自動調整する。具体的には、以下のようにして調整する。
【００２６】
図５は冬期における外乱条件（日射量、外気温及び躯体温度）に基づくペリカウンター２及びブラインド５の制御を示した表であり、図６は冬期のペリカウンター２の制御を表したフローチャート図である。
図５，図６に示すように、計測された日射量がその設定値ａよりも高く、且つ、計測された外気温がその設定値ｂよりも高い場合には、ペリカウンター２を図４（ａ）に示すような全閉状態にする。また、計測された日射量がその設定値ａよりも低く、且つ、計測された外気温及び躯体温度が各々の設定値ｂ，ｃよりもそれぞれ高い場合にも、ペリカウンター２を図４（ａ）に示すような全閉状態にする。
また、計測された日射量がその設定値ａよりも高く、且つ、計測された外気温がその設定値ｂよりも低い場合には、ペリカウンター２を図４（ｂ）に示すような半開状態にする。また、計測された日射量が設定値ａよりも低く、且つ、測定された外気温または躯体温度のうちの何れか一方がその設定値ｂ，ｃよりも低く他方がその設定値ｃ，ｂよりも高い場合にも、ペリカウンター２を図４（ｂ）に示すような半開状態にする。
また、計測された日射量がその設定値ａよりも低く、且つ、計測された外気温及び躯体温度が各々の設定値ｂ，ｃよりもそれぞれ低い場合には、ペリカウンター２を図４（ｃ）に示すような全開状態にする。
【００２７】
図７は冬期のブラインド５の制御を表したフローチャート図である。
図５，図７に示すように、計測された日射量が設定値ａよりも高い場合には、ブラインド５を降ろして窓Ｗに対向配置させるとともにブラインド５の複数の羽根板５ａ…を斜め或いは水平にそれぞれ配置させて図２（ｂ）に示すような降・開状態（昼光利用状態）にする。
また、計測された日射量が設定値ａよりも低く、且つ、計測された外気温または躯体温度のうちの少なくとも一方がその設定値ｂ，ｃよりも低い場合には、ブラインド５を降ろして窓Ｗに対向配置させるとともにブラインド５の複数の羽根板５ａ…を略鉛直にそれぞれ配置させた図２（ａ）に示すような降・閉状態（遮光状態）にする。
また、計測された日射量が設定値ａよりも低く、且つ、計測された外気温及び躯体温度が各々の設定値ｂ，ｃよりもそれぞれ高い場合には、ブラインド５を畳み上げて図２（ｃ）に示すような昇・開状態にする。
【００２８】
続いて、夏期及び中間期における空調設備の制御方法について説明する。
夏期及び中間期においては、日射量、外気温について任意の設定値ａ´，ｂ´をそれぞれ設定する。日射量の設定値ａ´は、日射の有無の境界を示す値であり、例えば５０Ｗ／ｍ２程度である。また、外気温の設定値ｂ´は、外気温が高いか否かの境界を示す値であり、例えば３０℃程度である。
また、日射量及び外気温をそれぞれ計測する。具体的には、図示せぬ日射計によって日射量を計測する。また、図示せぬ温度計によって建物外部の外気温を計測する。そして、上記した日射量及び外気温の各計測結果に基づいて、ブラインド５の昇降や羽根板５ａ…の傾斜角度を自動調整してブラインド５による採光を自動調整する。なお、夏期及び中間期においては、ペリカウンター２を図４（ａ）に示すような全閉状態にし、ペリカウンター２からの空調空気ＳＡの吹き出しが無い状態にする。
【００２９】
図８は夏期及び中間期における外乱条件（日射量、外気温）に基づくブラインド５の制御を示した表であり、図９は夏期及び中間期のブラインド５の制御を表したフローチャート図である。
図８，図９に示すように、計測された外気温がその設定値ｂ´よりも高い場合には、ブラインド５を降ろして窓Ｗに対向配置させるとともにブラインド５の複数の羽根板５ａ…を略鉛直にそれぞれ配置させてブラインド５を閉じた図２（ａ）に示すような降・閉状態（遮光状態）にする。
また、計測された外気温がその設定値ｂ´よりも低く、且つ、計測された日射量がその設定値ａ´よりも高い場合には、ブラインド５を降ろして窓Ｗに対向配置させるとともにブラインド５の複数の羽根板５ａ…を斜め或いは水平にそれぞれ配置させて図２（ｂ）に示すような降・開状態（昼光利用状態）にする。
また、計測された外気温がその設定値ｂ´よりも低く、且つ、計測された日射量がその設定値ａ´よりも低い場合には、ブラインド５を畳み上げて図２（ｃ）に示すような昇・開状態にする。
【００３０】
上記した構成からなる空調設備の制御方法によれば、冬期においては、全面床吹き出し空調システム１によって床Ｆの床面全体から室Ｒ内に空調空気ＳＡを供給しており、また、室内側から窓側に向けて空調空気ＳＡを吹き出させるペリカウンター２によって空調空気ＳＡを室Ｒ内のペリメータ領域に供給しており、さらに、ペリカウンター２の上方に設けられた吸気口３から室内空気ＩＡを室Ｒ外に排出しているため、ブラインド付近から床面に流れていくコールドドラフトが緩和される。これによって、ブラインド５よりも室内側の温度分布が良好となり、室Ｒ内の温熱環境を改善することができる。具体的には、室内の温熱環境の指標であるＰＭＶ（Predicted Mean Vote）値が２０％程度改善することができる。
【００３１】
また、上記した構成からなる空調設備の制御方法によれば、夏期及び中間期においては、ペリカウンター２による空調空気ＳＡの供給を行わずに全面床吹き出し空調システム１によって空調空気ＳＡを室Ｒ内に供給するとともに室内空気ＩＡを吸気口３から室Ｒ外に排出するため、夏期及び中間期における空調の際、窓Ｗとブラインド５との間の空気がブラインド５を通過して室内側に流れ込む量が低減される。これによって、ブラインド５よりも室内側の温度分布が良好となり、室Ｒ内の温熱環境を改善することができる。また、夏期及び中間期における空調の際、窓Ｗからの日射の熱は吸気口３から吸気されるまで窓Ｗとブラインド５との間に留まり、窓Ｗとブラインド５との間が高温領域となり、この高温領域中の熱が窓Ｗを介して外部に伝達される。これによって、ペリメータの熱負荷低減に寄与し、ペリメータでの空調エネルギー消費が低減され、省エネ性を向上させることができる。具体的には、ペリメータでの空調エネルギー消費を従来の６％程度低減させることができる。
【００３２】
また、上記した構成からなる空調設備の制御方法によれば、冬期においては、日射量、外気温、及び躯体温度について任意の設定値ａ，ｂ，ｃをそれぞれ設定するとともに、日射量、外気温及び躯体温度をそれぞれ計測し、計測された日射量がその設定値ａよりも低く、且つ、計測された外気温と躯体温度とのうちの一方または両方がその設定値ｂ，ｃよりも低い場合には、ブラインド５を降ろして窓Ｗに対向配置させるとともにブラインド５の羽根板５ａ…を閉じさせるため、ブラインド５によって遮蔽され、コールドドラフトの発生が最小限に留まる。これによって、ブラインド５よりも室内側の温度分布が更に良好となり、室Ｒ内の温熱環境をより改善することができる。
【００３３】
また、上記した構成からなる空調設備の制御方法によれば、冬期のペリカウンター２による空調空気ＳＡの供給は、５０〜１００ＣＭＨ／ｍ程度の少ない風量であり、冬期、夏期及び中間期の吸気口３による室内空気ＩＡの排出は、１００ＣＭＨ／ｍ程度の風量であるため、風量が１５０〜３００ＣＭＨ／ｍ程度である従来の技術に比べて空気搬送のファン動力を低減させることができる。
特に、上記した構成からなる空調設備の制御方法によれば、全面床吹き出し空調システム１の床吹き出しの与圧を利用してペリカウンター２からの空調空気ＳＡを吹き出させているため、ペリカウンター２がファンレス化される。これによって、ファンコイルユニットが備えられた従来のペリカウンターに比べて、ペリメータ系空調設備（ペリカウンター２及び吸気口３）が簡略化され、イニシャルコストダウンを図ることができる。
【００３４】
以上、本発明に係る空調設備の制御方法の実施の形態について説明したが、本発明は上記した実施の形態に限定されるものではなく、その趣旨を逸脱しない範囲で適宜変更可能である。例えば、上記した実施の形態では、ペリカウンター２の吹出口１０に電動式の回転可変翼機構１１が設けられ、ペリカウンター２の風量が自動調整されているが、本発明は、ペリカウンターの吹出口に備えられた回転可変翼機構が手動式であってもよい。この場合、上記した実施の形態のように、冬期におけるペリカウンターの風量の自動調整は行わず、ペリカウンターの吹出口は常時全開状態にしておき、冬期と夏期（中間期）との切り換え時だけ手動で切り替える。
【００３５】
また、上記した実施の形態では、回転軸１２に２枚の翼部１３，１４が回転自在に取り付けられた構成からなる回転可変翼機構１１によってペリカウンター２の風量を調整しているが、本発明は、上記した回転可変翼機構１１以外の機構によってペリカウンターの風量を調整してもよく、例えば、吹出口に回転扉状の機構や引き戸式の機構を設けてペリカウンターの風量を調整してもよく、その他の機構を吹出口に設けてもよい。また、本発明は、吹出口に回転可変翼機構１１のような機構を設けずに、その他の手段によってペリカウンターの風量を調整してもよく、例えば、空調空気を送り出すファンを制御することでペリカウンターの風量を調整してもよい。さらに、本発明は、ペリカウンターの風量調整できない構成であってもよく、ペリカウンターから空調空気を吹き出させるか否かの２択式であってもよい。
【００３６】
また、上記した実施の形態では、全面床吹き出し空調システム１の床吹き出しの与圧を利用してペリカウンター２からの空調空気ＳＡを吹き出させているが、本発明は、ペリカウンターにファンや空調機などが備えられていてもよい。
【００３７】
また、上記した実施の形態では、吸気口３がブラインドボックス６の内側に設けられているが、本発明は、ブラインドボックス以外の場所に吸気口が設けられていてもよく、例えば、ペリメータ領域内の天井に吸気口が設けられていてもよい。
【００３８】
また、上記した実施の形態では、日射量、外気温、及びペリメータの躯体温度に基づいてペリカウンター２による空調空気ＳＡの吹き出し量やブラインド５による採光を調整しているが、本発明は、ペリカウンターによる空調空気の吹き出し量やブラインドによる採光を調整しなくてもよく、或いは、上記した実施の形態における制御の一部のみを実施してもよい。
【００３９】
また、上記した実施の形態では、夏期および中間期にはペリカウンター２からの吹き出しを完全に停止させているが、例えば、夏期および中間期において、日射量が大きく外気温が高い場合には、温熱環境の改善を最優先に考えて、ペリカウンターから少ない風量（５０〜１００ＣＭＨ／ｍ程度）で吹き出しを行ってもよい。これによって、室内の温熱環境の改善を図ることができる。
【００４０】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４１】
【図１】本発明の実施の形態を説明するための空調設備が備えられた室を表す断面図である。
【図２】（ａ）、（ｂ）、（ｃ）ともに、本発明の実施の形態を説明するためのブラインドを表した断面図である。
【図３】本発明の実施の形態を説明するためのペリカウンターを表した拡大断面図である。
【図４】（ａ）、（ｂ）、（ｃ）ともに、本発明の実施の形態を説明するためのペリカウンターの吹出口に設けられた回転可変翼機構を表す断面図である。
【図５】本発明の実施の形態を説明するための冬期におけるペリカウンター及びブラインドの制御を示した表である。
【図６】本発明の実施の形態を説明するための冬期におけるペリカウンターの制御を示したフローチャート図である。
【図７】本発明の実施の形態を説明するための冬期におけるブラインドの制御を示したフローチャート図である。
【図８】本発明の実施の形態を説明するための夏期及び中間期におけるペリカウンター及びブラインドの制御を示した表である。
【図９】本発明の実施の形態を説明するための夏期及び中間期におけるブラインドの制御を示したフローチャート図である。
【符号の説明】
【００４２】
１  全面床吹き出し空調システム
２  ペリカウンター
３  吸気口
５  ブラインド
５ａ  羽根板
Ｒ  室
Ｆ  床
Ｗ  窓
ＳＡ  空調空気
ＩＡ  室内空気
ａ  （日射量の）設定値
ｂ  （外気温の）設定値
ｃ  （躯体温度の）設定値
【図１】
0004687984.tif 000002
【図２】
0004687984.tif 000003
【図３】
0004687984.tif 000004
【図４】
0004687984.tif 000005
【図５】
0004687984.tif 000006
【図６】
0004687984.tif 000007
【図７】
0004687984.tif 000008
【図８】
0004687984.tif 000009
【図９】
0004687984.tif 000010